(57)【要約】【課題】配線などの取付けを効率的にすると共に、使用利便性を向上させることができる電力制御装置を提供する。【解決手段】  電力制御装置は、電気機器に電気的に接続され、無線制御信号により電気機器を操作するものとして、第１のハウジングと、前記第１のハウジングに設けられ、外部電源に電気的に可動的に接続される電源接続ユニットと、前記第１のハウジングに設けられ、前記電気機器に電気的に接続されるソケットと、前記電源接続ユニット及び前記ソケットの間に設けられ、前記無線制御信号により、前記電源接続ユニットと前記ソケットとの電気的接続を制御する第１の制御ユニットとから構成されるパワーカプラを含んでなる。【選択図】図１
0003122816.tif 000002
【実用新案登録請求の範囲】
【請求項１】
電気機器に電気的に接続され、無線制御信号により電気機器を操作する電力制御装置として、
第１のハウジングと、
前記第１のハウジングに設けられ、外部電源に電気的に可動的に接続される電源接続ユニットと、
前記第１のハウジングに設けられ、前記電気機器に電気的に接続されるソケットと、
前記電源接続ユニット及び前記ソケットの間に設けられ、前記無線制御信号により、前記電源接続ユニットと前記ソケットとの電気的接続を制御する第１の制御ユニットと、
から構成されるパワーカプラを含んでなる
ことを特徴とする電力制御装置。
【請求項２】
前記電源接続ユニットは、導電できる差込プラグを有することを特徴とする請求項１に記載の電力制御装置。
【請求項３】
前記第１の制御ユニットは、
前記電源接続ユニット及びソケットの間に設けられ、前記電源接続ユニット及びソケットの間の断続を切替えるスイッチ部と、
前記スイッチ部に電気的に接続され、前記無線制御信号を受信する受信部と、
前記受信部に電気的に接続され、前記受信部からの無線制御信号を復号して出力する第１の復号部と、
前記スイッチ部及び前記第１の復号部の間に設けられ、前記第１の復号部からの復号出力した無線制御信号によって前記スイッチ部を作動させるスイッチ作動部と、
を有することを特徴とする請求項１に記載の電力制御装置。
【請求項４】
さらに、電話回線に接続されていて発呼者からの呼出し信号を処理して前記無線制御信号とし前記パワーカプラへ送信するものとして、
第２のハウジングと、
第２のハウジングに設けられ、発呼者からの呼出し信号を経由させて電話回線に電気的に接続される第１の接続部と、
前記第２のハウジングに設けられ、前記第１の接続部に電気的に接続される第２の制御ユニットと、から構成される電話機制御器を有し、
前記第１の接続部を介して前記電話回線からの呼出し信号を所定時間持続して受信すると、前記第２の制御ユニットは、前記発呼者と通話リンクを形成し、前記無線制御信号となる通話信号を生成することを特徴とする請求項１に記載の電力制御装置。
【請求項５】
前記第２の制御ユニットは、
前記第１の接続部に接続され、前記発呼者が第１の接続部に生成し前記電話回線を通じて発送した通話信号を復号化して出力する第２の復号部と、
前記第２の復号部に接続され、前記第２の復号部から復号化した出力に応じて制御信号を生成出力する制御部と、
前記制御部に接続され、前記制御部からの制御信号を符号化して前記無線制御信号を生成する第１の符号部と、
前記第１の符号部に接続され、前記第１の符号部から受信した前記無線制御信号を前記パワーカプラへ送信する送信部と、
からなることを特徴とする請求項４に記載の電力制御装置。
【請求項６】
前記電話機制御器は、
前記第２のハウジングに、前記第１の接続部に並列して第２の接続部を設け、該第２の接続部に電話機が接続されることを特徴とする請求項４に記載の電力制御装置。
【請求項７】
さらに、前記無線制御信号を生成して前記パワーカプラへ送信するものとし、
第３のハウジングと、
第３のハウジングに設けられ、セレクト信号を生成ように作動する入力部を設けているユーザ入力ユニットと、
前記第３のハウジングに設けられ、前記ユーザ入力ユニットに接続され、前記ユーザ入力ユニットが生成したセレクト信号を符号化して前記無線制御信号を生成する第２の符号部と、
前記第３のハウジングに設けられ、前記第２の符号部に接続され、前記第２の符号部が生成した前記無線制御信号を送信する第２の送信部と、
から構成される遠隔制御器をそなえることを特徴とする請求項１に記載の電力制御装置。
【請求項８】
前記パワーカプラが、第１のグループと第２のグループに分けられる複数のパワーカプラからなり、
前記遠隔制御器のユーザ入力ユニットは、前記第１のグループのパワーカプラ及び前記第２のグループのパワーカプラのいずれか１つのグループ内のパワーカプラ数に応じて設けられ、
前記遠隔制御器はさらに、前記ユーザ入力ユニットに接続され、前記第１のグループのパワーカプラ及び前記第２のグループのパワーカプラのいずれか１つのグループに対応して前記ユーザ入力ユニットが前記セレクト信号を生成するように切替えるセレクト部が設けられている
ことを特徴とする請求項７に記載の電力制御装置。
【請求項９】
さらに、前記無線制御信号を生成して前記パワーカプラへ送信するものとして、
第３のハウジングと、
第３のハウジングに設けられ、セレクト信号を生成ように作動する入力部を設けているユーザ入力ユニットと、
前記第３のハウジングに設けられ、前記ユーザ入力ユニットに接続され、前記ユーザ入力ユニットが生成したセレクト信号を符号化して前記無線制御信号を生成する第２の符号部と、
前記第３のハウジングに設けられ、前記第２の符号部に接続され、前記第２の符号部が生成した前記無線制御信号を送信する第２の送信部と、
から構成される遠隔制御器を有し、
前記パワーカプラは、前記電話機制御器及び前記遠隔制御器のいずれか１つが生成した無線制御信号に応答する
ことを特徴とする請求項４に記載の電力制御装置。
【請求項１０】
電話回線に接続され、電源及び電気機器の間に電気的に接続可能に設けられるパワーカプラに、電話回線を通じて発呼者からの呼出し信号を前記無線制御信号となるよう処理して送信し、前記パワーカプラの前記接続を制御するものとして、
ハウジングと、
ハウジングに設けられ、発呼者からの呼出し信号を経由させる電話回線に電気的に接続される接続部と、
前記ハウジングに設けられ、前記接続部に電気的に接続される制御ユニットと、から構成され、
前記接続部を介して前記電話回線からの呼出し信号を所定時間持続して受信すると、前記制御ユニットは、前記発呼者と通話リンクを形成して通話信号を生成し、前記無線制御信号となるよう処理して前記パワーカプラに送信することを特徴とする電話機制御器。
【考案の詳細な説明】
【技術分野】
【０００１】
本考案は、電力制御装置に関し、特に電気機器を商用交流電源と選択的に断続することができる電力制御装置に関する。
【背景技術】
【０００２】
電力制御装置は図示しないがハウジングと、ハウジングから引出されて電話線に電気的に接続される第１の配線と、ハウジングから引出されて交流電源に電気的に接続される第２の配線と、ハウジングから引出されて電気機器に電気的に接続される第３の配線とから構成され、電気機器が交流電源に選択的に断続することができる。
【０００３】
この電力制御装置の構成において、電気機器を電源と選択的に接続させることができるが、配線が多く使われているので、取付作業が煩雑で、熟練を要し、コストを抑え難い。また、所定位置にしか使用できないので、使い勝手も悪い。
【考案の開示】
【考案が解決しようとする課題】
【０００４】
本考案は、前記問題点に鑑みてなされたものであり、配線などの取付けを効率的にすると共に、使用利便性を向上させることができる電力制御装置を提供することを目的とする。
【課題を解決するための手段】
【０００５】
前記目的を達成すべく、本考案の電力制御装置は、電気機器に電気的に接続され、無線制御信号により電気機器を操作するものとして、第１のハウジングと、前記第１のハウジングに設けられ、外部電源に電気的に可動的に接続される電源接続ユニットと、前記第１のハウジングに設けられ、前記電気機器に電気的に接続されるソケットと、前記電源接続ユニット及び前記ソケットの間に設けられ、前記無線制御信号により、前記電源接続ユニットと前記ソケットとの電気的接続を制御する第１の制御ユニットとから構成されるパワーカプラを含んでなることを特徴とする電力制御装置を提供しようとする。
【０００６】
前記構成では、前記電源接続ユニットは、好ましくは導電できる差込プラグを有する。
【０００７】
前記構成では、前記第１の制御ユニットは、好ましくは、前記電源接続ユニット及びソケットの間に設けられ、前記電源接続ユニット及びソケットの間の断続を切替えるスイッチ部と、前記スイッチ部に電気的に接続され、前記無線制御信号を受信する受信部と、前記受信部に電気的に接続され、前記受信部からの無線制御信号を復号して出力する第１の復号部と、前記スイッチ部及び前記第１の復号部の間に設けられ、前記第１の復号部からの復号した無線制御信号によって前記スイッチ部を作動させるスイッチ作動部と、を有することを特徴とする。
【０００８】
前記構成では、好ましくはさらに、電話回線に接続されていて発呼者からの呼出し信号を処理して前記無線制御信号とし前記パワーカプラへ送信するものとして、第２のハウジングと、第２のハウジングに設けられ、発呼者からの呼出し信号を経由させて電話回線に電気的に接続される第１の接続部と、前記第２のハウジングに設けられ、前記第１の接続部に電気的に接続される第２の制御ユニットと、から構成される電話機制御器を有し、前記第１の接続部を介して前記電話回線からの呼出し信号を所定時間持続して受信すると、前記第２の制御ユニットは、前記発呼者と通話リンクを形成し、前記無線制御信号となる通話信号を生成する。
【０００９】
前記構成では、前記前記第２の制御ユニットは、好ましくは前記第１の接続部に接続され、前記発呼者が前記第１の接続部に生成し前記電話回線を通じて発送した通話信号を復号化して出力する第２の復号部と、前記第２の復号部に接続され、前記第２の復号部から復号化した出力に応じて制御信号を生成出力する制御部と、前記制御部に接続され、前記制御部からの制御信号を符号化して前記無線制御信号を生成する第１の符号部と、前記第１の符号部に接続され、前記第１の符号部から受信した前記無線制御信号を前記パワーカプラへ送信する送信部と、からなるようにする。
【００１０】
前記構成では、前記電話機制御器は、好ましくは、前記第２のハウジングに、前記第１の接続部に並列して第２の接続部を設け、該第２の接続部に電話機が接続されるようにする。
【００１１】
前記構成では、好ましくはさらに、前記無線制御信号を生成して前記パワーカプラへ送信するものとし、第３のハウジングと、第３のハウジングに設けられ、セレクト信号を生成ように作動する入力部を設けているユーザ入力ユニットと、前記第３のハウジングに設けられ、前記ユーザ入力ユニットに接続され、前記ユーザ入力ユニットが生成したセレクト信号を符号化して前記無線制御信号を生成する第２の符号部と、前記第３のハウジングに設けられ、前記第２の符号部に接続され、前記第２の符号部が生成した前記無線制御信号を送信する第２の送信部と、から構成される遠隔制御器をそなえるように構成する。
【００１２】
前記構成では、好ましくは、前記パワーカプラが、第１のグループと第２のグループに分けられる複数のパワーカプラからなり、前記遠隔制御器のユーザ入力ユニットは、前記第１のグループのパワーカプラ及び前記第２のグループのパワーカプラのいずれか１つのグループ内のパワーカプラ数に応じて設けられ、前記遠隔制御器はさらに、前記ユーザ入力ユニットに接続され、前記第１のグループのパワーカプラ及び前記第２のグループのパワーカプラのいずれか１つのグループに対応して前記ユーザ入力ユニットが前記セレクト信号を生成するように切替えるセレクト部が設けられる構成とすることができる。
【００１３】
前記構成では、好ましくはさらに、前記無線制御信号を生成して前記パワーカプラへ送信するものとして、第３のハウジングと、第３のハウジングに設けられ、セレクト信号を生成ように作動する入力部を設けているユーザ入力ユニットと、前記第３のハウジングに設けられ、前記ユーザ入力ユニットに接続され、前記ユーザ入力ユニットが生成したセレクト信号を符号化して前記無線制御信号を生成する第２の符号部と、前記第３のハウジングに設けられ、前記第２の符号部に接続され、前記第２の符号部が生成した前記無線制御信号を送信する第２の送信部と、から構成される遠隔制御器を有し、前記パワーカプラは、前記電話機制御器及び前記遠隔制御器のいずれか１つが生成した無線制御信号に応答するように構成することができる。
【００１４】
また、前記目的を達成すべく、本考案は、電源及び電気機器の間に電気的に接続可能に設けられるパワーカプラに、電話回線に接続されていて発呼者からの呼出し信号を前記無線制御信号になるよう処理して送信し、前記パワーカプラの前記接続を制御するものとして、ハウジングと、ハウジングに設けられ、発呼者からの呼出し信号を経由させる電話回線に電気的に接続される接続部と、前記ハウジングに設けられ、前記接続部に電気的に接続される制御ユニットと、から構成され、前記接続部を介して前記電話回線からの呼出し信号を所定時間持続して受信すると、前記制御ユニットは、前記発呼者と通話リンクを形成して通話信号を生成し、前記無線制御信号になるよう処理して前記パワーカプラに送信することを特徴とする電話機制御器を提供しようとする。
【考案の効果】
【００１５】
以上の構成により、電話機制御器または遠隔制御器からの無線制御信号によりパワーカプラを制御して電気機器のオン・オフなどを操作することができるので、外部電源のソケット座にパワーカプラの差込プラグを挿し込み、対応する電気機器がパワーカプラのソケットに電気的に接続されるだけで、従来の複雑な配線をした制御装置を設ける必要がなくなる。したがって、配線用の工事コストを大幅に低減することができ、配線が占めるスペースも少なくて済む。
【考案を実施するための最良の形態】
【００１６】
以下、本考案の好ましい実施の形態を図面を参照して説明する。図１は、本考案の好ましい実施形態の電力制御装置の構成を示す斜視図、図２は、同装置の制御系の構成の概略ブロック図、図３は、同制御系におけるパワーカプラの構成の概略ブロック図、図４は、同制御系における電話機制御器の構成の概略ブロック図、図５は、同制御系における遠隔制御器の構成の概略ブロック図である。
【００１７】
図１と図２に示すように、本考案の第１の実施の形態の電力制御装置は、電話回線２１を介して電話機２２と電気機器２３の間に電気的に接続されており、無線制御信号を送信する電話機制御器３と、無線制御信号を送信する遠隔制御器４と、無線制御信号を受信するパワーカプラ５から構成されている。
【００１８】
パワーカプラ５は、ほぼ長方形をした筐体（第１のハウジング）５１と、該筐体５１に設けられた電源接続ユニット５２と、差込のソケット５３と、制御ユニット（第１の制御ユニット）５４とからなっている。この例においては、電源接続ユニット５２として複数のピンからなる差込プラグ５２１が用いられ、可動的に外部の交流電源（Ｖａｃ）と電気的接続できる。ソケット５３は筐体５１に設けられ、電気機器２３が電気的接続することができる。この例においては、図示の通り、ソケット５３は１個しか示していないが、複数電気機器に対応すべく複数設けてもよい。制御ユニット５４は、図１及び図３に示すように、通常筐体５１内に内蔵されており、電源接続ユニット５２及びソケット５３の間に電気的に接続され、無線制御信号を受信して電源接続ユニット５２及びソケット５３の間の電気的接続を制御することができる。この例においては、この制御ユニット５４はスイッチ部５４１と、受信部５４２と、復号部５４３と、スイッチ作動部５４４とから構成されている。スイッチ部５４１は、電源接続ユニット５２即ち差込プラグ及びソケット５３の間に接続され、電源接続ユニット５２とソケット５３との間の電気的断続を制御することができる。スイッチ部５４１はこの例においては図示しないがリレーを用いる。受信部５４２は、電話機制御器３または遠隔制御器４からの無線制御信号を受信し、復号部５４３へ送信する。復号部５４３は受信部５４２及びスイッチ作動部５４４の間に接続され、受信部５４２からの無線制御信号を復号し、復号信号を生成する。スイッチ作動部５４４は復号部５４３及びスイッチ５４１の間に接続され、復号部５４３からの復号信号を受信してスイッチ５４１にオンオフの作動をさせる。
【００１９】
図４に示すように、電話機制御器３は、ほぼケース状をしたハウジング（第２のハウジング）３１を有する。該ハウジング３１にはその一方の端面に平行して差込ジャック３２、３４が設けられ、制御ユニット（第２の制御ユニット）３３が内蔵されている。差込ジャック３２は例えば電話回線２１に電気的に接続され、差込ジャック３４は例えば電話機２２に電気的に接続される。差込ジャックの数は電話回線や電話機に応じて複数設けられてもよいことは言うまでもない。制御ユニット３３は、差込ジャック３２に接続されている。制御ユニット３３は、図示しないが、発呼者が電話回線２１を介して所定時間継続して発信した呼出し信号を受取り、発呼者と通話リンクを形成して無線制御信号を生成し、パワーカプラ５の受信部５４２へ送信する。なお、発呼者は回線網による電話機に限らず無線電話機や携帯電話などでもよい。この例においては、制御ユニット３３は、復号部３３１、制御部３３２、符号部３３３及び送信部３３４から構成されている。復号部３３１は電話機制御器３の差込ジャック３２に接続され、制御部３３２は、復号部３３１及び符号部３３３の間に接続され、符号部３３３は制御部３３２及び送信部３３４の間に接続される。
【００２０】
次いで、上記構成による動作を説明する。制御ユニット３３は差込ジャック３２を介して電話回線２１から呼出し信号を受取り、即ち、電話機制御器３は発呼者から電話を受け、とりわけ、差込ジャック３４に接続された電話機２２の受話器（図示しない）をまだ取っていない間の所定時間継続的に呼出し信号を受信すると、制御ユニット３３は電話回線２１を介して発呼者と通話リンクを形成する。なお、この例においては、発呼者は電話回線２１を通じて電話機制御器３と通話リンクを形成する構成を説明したが、図２に示すように、発呼者は電話機２２を通じて電話機制御器３と通話リンクを形成してもよい。
【００２１】
通話リンクが形成されると、制御ユニット３３は作動して通話リンクを介して予め記憶された音声メッセージを送信し、発呼者がその音声メッセージに応じて所定の押しキーを操作する。そして、発呼者側から所定の押しキーを押したという所定の電話信号を差込ジャック３２を介して制御ユニット３３に送信し、制御ユニット３３における復号部３３１によって当該電話信号を復号し出力する。制御部３３２は当該復号出力に応じて制御出力を生成する。そして、符号部３３３は制御部３３２からの制御出力を符号化して無線制御信号を生成し、送信部３３４を通じてパワーカプラ５の制御ユニット５４の受信部５４２に送信する。パワーカプラ５の制御ユニット５４の受信部５４２は当該無線制御信号を受信したとき、制御ユニット５４の復号部５４３によって当該無線制御信号を復号する。スイッチ作動部５４４は復号部５４３による復号した当該無線制御信号によって、スイッチ５４１を作動させて電源接続ユニット５２の差込プラグ５２１及びソケット５３の間の電気的な断続をする。ソケット５３の電源接続ユニット５２との電気的な断続によって電気機器２３の起動・停止を制御する。
【００２２】
この例においては、無線制御信号は、電話回線２１または電話機２２から電話機制御器３を介して送信することができるが、他の例においては通常の遠隔制御器４によっても送信することができる。図５に示すように、この遠隔制御器４はほぼ方形ハウジング（第３のハウジング）４１を有し、当該ハウジング４１内には符号部４４と送信部４５が内蔵されており、当該ハウジング４１上には符号部４４と送信部４５に電気的に接続され複数の操作キーを有するユーザ入力ユニット４３が設けられている。ユーザ入力ユニット４３は、図１に示すように例えば電源を入れるか切るか制御する操作キー４３１、４３２を設けることができる。
【００２３】
例えば電源を入れる操作キー４３１を押すと、ユーザ選択制御出力が生成される。符号部４４は当該ユーザ選択制御出力を符号化して無線制御信号が生成され、送信部４５を介してパワーカプラ５へ送信される。パワーカプラ５における制御ユニット５４の受信部５４２は当該無線制御信号を受信し、復号部５４３によって当該無線制御信号が復号され、スイッチ作動部５４４に出力される。スイッチ作動部５４４は復号部５４３による復号した当該無線制御信号によって、スイッチ５４１を作動させて電源接続ユニット５２の差込プラグ５２１及びソケット５３の間の電気的な断続をする。ソケット５３の電源接続ユニット５２との電気的な断続によって電気機器２３の起動を制御する。
【００２４】
上記実施の形態にかかる電力制御装置は、単一のパワーカプラによって電気機器２３の動作を制御するようになっているが、もちろんこれに限らない。図６と図７は、本考案の他の実施の形態の電力制御装置におけるパワーカプラと遠隔制御器の構成の概略斜視図である。図６又は図７に示すように、電力制御装置は複数の電気機器のそれぞれに応じて複数のパワーカプラを有し、複数のパワーカプラ５ａ１、５ａ２、・・・、５ｂ１、５ｂ２、・・・は第１のグループのパワーカプラ５Ａと、第２のグループのパワーカプラ５Ｂとに分かれている。なお、図６では、簡略して第１のグループと第２のグループのパワーカプラを２個ずつ示している。遠隔制御器４上には、電源を入れる（オン）操作キー４３１ａ、ｂ、・・・及び電源を切る（オフ）操作キー４３２ａ、ｂ、・・・からなる操作キーが、対応するグループにおけるパワーカプラ数に応じて該当セット数又はより多めのセット数設けられる。また、セレクト部４２がハウジング４１上のスロット内に可動的に突出て設けられ、１つ以上のパワーカプラ５、５、・・・を有する第１のグループのパワーカプラ５Ａ及び１つ以上のパワーカプラ５、５、・・・を有する第２のグループのパワーカプラ５Ｂに応じてスロットの両側例えばＡ側、Ｂ側に切替えることができる。セレクト部４２はＡ側に切替えられたとき、例えば操作キー４３１ａ、４３２ａの押し操作により生成する無線制御信号によって第１のグループのパワーカプラ５Ａにおけるパワーカプラ５ａ１を介して上記動作と同様にして対応する電気機器のオン・オフなどを制御するようになる。そして、セレクト部４２をＢ側に切替えると、上記動作と同様にして第２のグループのパワーカプラ５Ｂを介して対応する電気機器のオン・オフなどを制御することができる。
【００２５】
以のように本考案の電力制御装置によれば、電話機制御器３または遠隔制御器４からの無線制御信号によりパワーカプラ５を制御して電気機器のオン・オフなどを操作することができるので、外部電源ソケット座にパワーカプラ５の差込プラグ５２を挿し込み、対応する電気機器がパワーカプラ５のソケット５３に電気的に接続されるだけで、従来の制御装置みたいに複雑な配線を設ける必要がなくなる。したがって、配線用の工事コストを大幅に低減することができ、配線によるスペースも少なく済む。
【産業上の利用可能性】
【００２６】
本考案の電力制御装置によれば、電気機器のオン・オフなどを無線的に操作することができるので、使用利便性が向上し、配線コストを低減すると共に配線による占用スペースも低減することができる。
【図面の簡単な説明】
【００２７】
【図１】本考案の好ましい実施の形態の電力制御装置の構成を示す斜視図である。
【図２】同装置の制御系の構成の概略ブロック図である。
【図３】同制御系におけるパワーカプラの構成の概略ブロック図である。
【図４】同制御系における電話機制御器の構成の概略ブロック図である。
【図５】同制御系における遠隔制御器の構成の概略ブロック図である。
【図６】本考案の他の実施の形態の電力制御装置におけるパワーカプラと遠隔制御器の構成の概略斜視図である。
【図７】本考案の他の実施の形態の電力制御装置におけるパワーカプラと遠隔制御器の構成の概略斜視図である。
【符号の説明】
【００２８】
２１        電話回線
２２        電話機
２３        電気機器
３          電話機制御器
３１        ハウジング（第２のハウジング）
３２、３４  差込ジャック（第１、２の接続部）
３３        制御ユニット（第２の制御ユニット）
３３１      復号部（第２の復号部）
３３２      制御部
３３３      符号部（第１の符号部）
３３４      送信部（第１の送信部）
４          遠隔制御器
４１        ハウジング（第３のハウジング）
４２        セレクト部
４３        ユーザ入力ユニット
４３１、４３１ａ、ｂ、４３２、４３２ａ、ｂ  操作キー（入力部）
４４        符号部（第２の符号部）
４５        送信部（第２の送信部）
５、５ａ１、５ａ２、５ｂ１、５ｂ２  パワーカプラ
５１        筐体（第１のハウジング）
５２        電源接続ユニット
５２１      差込プラグ
５３        ソケット
５４        制御ユニット（第１の制御ユニット）
５４１      スイッチ部
５４２      受信部（第１の受信部）
５４３      復号部（第１の復号部）
５４４      スイッチ作動部
５Ａ        第１のグループのパワーカプラ
５Ｂ        第２のグループのパワーカプラ
【図１】
0003122816.tif 000003
【図２】
0003122816.tif 000004
【図３】
0003122816.tif 000005
【図４】
0003122816.tif 000006
【図５】
0003122816.tif 000007
【図６】
0003122816.tif 000008
【図７】
0003122816.tif 000009
【手続補正書】
【提出日】平成18年4月11日(2006.4.11)
【手続補正１】
【補正対象書類名】実用新案登録請求の範囲
【補正対象項目名】全文
【補正方法】変更
【補正の内容】
【実用新案登録請求の範囲】
【請求項１】
電気機器に電気的に接続され、無線制御信号により電気機器を操作する電力制御装置として、
第１のハウジングと、
前記第１のハウジングに設けられ、外部電源に電気的に可動的に接続される電源接続ユニットと、
前記第１のハウジングに設けられ、前記電気機器に電気的に接続されるソケットと、
前記電源接続ユニット及び前記ソケットの間に設けられ、前記無線制御信号により、前記電源接続ユニットと前記ソケットとの電気的接続を制御する第１の制御ユニットと、
から構成されるパワーカプラを含んでなる
ことを特徴とする電力制御装置。
【請求項２】
前記電源接続ユニットは、導電できる差込プラグを有することを特徴とする請求項１に記載の電力制御装置。
【請求項３】
前記第１の制御ユニットは、
前記電源接続ユニット及びソケットの間に設けられ、前記電源接続ユニット及びソケットの間の断続を切替えるスイッチ部と、
前記スイッチ部に電気的に接続され、前記無線制御信号を受信する受信部と、
前記受信部に電気的に接続され、前記受信部からの無線制御信号を復号して出力する第１の復号部と、
前記スイッチ部及び前記第１の復号部の間に設けられ、前記第１の復号部からの復号出力した無線制御信号によって前記スイッチ部を作動させるスイッチ作動部と、
を有することを特徴とする請求項１に記載の電力制御装置。
【請求項４】
さらに、電話回線に接続されていて発呼者からの呼出し信号を処理して前記無線制御信号とし前記パワーカプラへ送信するものとして、
第２のハウジングと、
第２のハウジングに設けられ、発呼者からの呼出し信号を経由させて電話回線に電気的に接続される第１の接続部と、
前記第２のハウジングに設けられ、前記第１の接続部に電気的に接続される第２の制御ユニットと、から構成される電話機制御器を有し、
前記第１の接続部を介して前記電話回線からの呼出し信号を所定時間持続して受信すると、前記第２の制御ユニットは、前記発呼者と通話リンクを形成し、前記無線制御信号となる通話信号を生成することを特徴とする請求項１に記載の電力制御装置。
【請求項５】
前記第２の制御ユニットは、
前記第１の接続部に接続され、前記発呼者が第１の接続部に生成し前記電話回線を通じて発送した通話信号を復号化して出力する第２の復号部と、
前記第２の復号部に接続され、前記第２の復号部から復号化した出力に応じて制御信号を生成出力する制御部と、
前記制御部に接続され、前記制御部からの制御信号を符号化して前記無線制御信号を生成する第１の符号部と、
前記第１の符号部に接続され、前記第１の符号部から受信した前記無線制御信号を前記パワーカプラへ送信する送信部と、
からなることを特徴とする請求項４に記載の電力制御装置。
【請求項６】
前記電話機制御器は、
前記第２のハウジングに、前記第１の接続部に並列して第２の接続部を設け、該第２の接続部に電話機が接続されることを特徴とする請求項４に記載の電力制御装置。
【請求項７】
さらに、前記無線制御信号を生成して前記パワーカプラへ送信するものとし、
第３のハウジングと、
第３のハウジングに設けられ、セレクト信号を生成ように作動する入力部を設けているユーザ入力ユニットと、
前記第３のハウジングに設けられ、前記ユーザ入力ユニットに接続され、前記ユーザ入力ユニットが生成したセレクト信号を符号化して前記無線制御信号を生成する第２の符号部と、
前記第３のハウジングに設けられ、前記第２の符号部に接続され、前記第２の符号部が生成した前記無線制御信号を送信する第２の送信部と、
から構成される遠隔制御器をそなえることを特徴とする請求項１に記載の電力制御装置。
【請求項８】
前記パワーカプラが、第１のグループと第２のグループに分けられる複数のパワーカプラからなり、
前記遠隔制御器のユーザ入力ユニットは、前記第１のグループのパワーカプラ及び前記第２のグループのパワーカプラのいずれか１つのグループ内のパワーカプラ数に応じて設けられ、
前記遠隔制御器はさらに、前記ユーザ入力ユニットに接続され、前記第１のグループのパワーカプラ及び前記第２のグループのパワーカプラのいずれか１つのグループに対応して前記ユーザ入力ユニットが前記セレクト信号を生成するように切替えるセレクト部が設けられている
ことを特徴とする請求項７に記載の電力制御装置。
【請求項９】
さらに、前記無線制御信号を生成して前記パワーカプラへ送信するものとして、
第３のハウジングと、
第３のハウジングに設けられ、セレクト信号を生成ように作動する入力部を設けているユーザ入力ユニットと、
前記第３のハウジングに設けられ、前記ユーザ入力ユニットに接続され、前記ユーザ入力ユニットが生成したセレクト信号を符号化して前記無線制御信号を生成する第２の符号部と、
前記第３のハウジングに設けられ、前記第２の符号部に接続され、前記第２の符号部が生成した前記無線制御信号を送信する第２の送信部と、
から構成される遠隔制御器を有し、
前記パワーカプラは、前記電話機制御器及び前記遠隔制御器のいずれか１つが生成した無線制御信号に応答する
ことを特徴とする請求項４に記載の電力制御装置。